(57)【特許請求の範囲】
【請求項１】
構造物の基礎材を据え付ける際の丁張り作業において、水糸の位置調整を行うための丁張調整器具であって、
前記基礎材を据え付けるための掘削穴に土留擁壁として設置されるライナープレートに固定される支柱へ取り付けられ、長手方向に沿ってスリットが設けられる筒状体と、
この筒状体の両端部に跨って設けられ、前記筒状体の内部に収容されるネジ部材と、
このネジ部材と前記筒状体の少なくともいずれか一方に取り付けられる留め部材と、
前記筒状体の内部において、前記ネジ部材に取り付けられる環状部材と、
この環状部材に立設され、前記水糸が結着される棒状部材と、を備え、
前記ネジ部材は、軸体に第１のネジ部が形成されるとともに、基端及び先端のうち少なくとも一方が前記両端部のうちそれぞれ対応する端部に対し、前記留め部材を介して回動可能に固定され、
前記環状部材は、その内周面に前記第１のネジ部に螺合する第２のネジ部が形成され、
前記棒状部材は、その下端が前記環状部材の外周面に固定されるとともに、その上端が前記筒状体の外部へ突出し、前記スリットを通過して配設されることを特徴とする丁張調整器具。
【請求項２】
前記留め部材は、前記筒状体の内部において、前記基端又は前記先端に螺着され、前記ネジ部材を前記スリットに沿って移動させるように付勢する弾性体であることを特徴とする請求項１記載の丁張調整器具。
【請求項３】
前記ネジ部材は、前記筒状体の外部において、基端に摘み部が設けられることを特徴とする請求項１又は請求項２記載の丁張調整器具。
【請求項４】
前記筒状体は、前記長手方向の水平に対する傾斜を検出する水準器が設けられることを特徴とする請求項１乃至請求項３のいずれか１項に記載の丁張調整器具。
【発明の詳細な説明】
【技術分野】
【０００１】
本発明は、構造物の基礎材を据え付ける際の丁張り作業において、水糸の位置調整を行うための丁張調整器具に係り、特に、水糸の端部の位置を、水糸が丁張りされた方向と直交する方向へ、精度良くスライド移動させることのできる丁張調整器具に関する。
【背景技術】
【０００２】
従来、鉄塔の円形用基礎材の丁張り作業は、（１）基礎材を据え付ける掘削穴の周囲の地面に、一対のコ字状のやぐらを基礎材を挟んで設置した後、（２）一対のやぐらのうち、水平に設置された横材にポイント釘を打ち、（３）一対のポイント釘に水糸の端部をそれぞれ結び付け、水糸を掘削穴の上方に張設する、という手順（１）乃至（３）によって行われている。このように張設された水糸により、（ａ）基礎材据付位置の確認、（ｂ）基礎材据付後の据付位置確認、（ｃ）鉄筋配筋後の基礎材据付位置の確認及び（ｄ）コンクリート打設後の基礎材据付位置の確認が行われる。
また、張設された水糸の位置は、一対のポイント釘の位置によって変化することから、上記の（ａ）乃至（ｄ）の確認作業の都度、一対のポイント釘の位置をトランシット等で計測している。
しかし、やぐらは地上に設置されているため、やぐらに作業員や工具が接触したり、掘削穴の周囲を重機が通過したりすると、ポイント釘が傾いて水糸の位置がずれることがある。そのため、上記の（ａ）乃至（ｄ）の確認作業においてポイント釘の傾き等を発見した場合、その都度ポイント釘をやぐらから抜き差しすることで、水糸が張設された位置を調整している。
すなわち、水糸の位置調整は、同様な作業を繰り返して行う必要があるため非常に煩雑であり、その結果丁張りの作業効率が良好でないという課題があった。
そこで、このような課題を解決する目的で、近年、ポイント釘を抜き差しすることの不要な丁張調整器具に関する技術が開発されており、それに関して既にいくつかの発明や考案が開示されている。
【０００３】
まず、特許文献１には、「コンクリート基礎における型枠ベースの設置用治具」という名称で、水糸が係止される水糸張り部材がスライドする型枠ベースの設置用治具に関する発明が開示されている。
以下、特許文献１に開示された発明について説明する。特許文献１に開示された型枠ベースの設置用治具に関する発明は、支持脚によって高さ調節可能に支持される治具本体と、水糸を係止する係止部を備え、且つ、その水糸の張り方向と直角な方向へスライド可能に治具本体へ取り付けられる水糸張り部材と、この水糸張り部材に係止してその水糸張り部材をスライド方向にスライドさせるための連結部を下端に備え、且つ、外周の丁張に張られた水糸の位置へ合わせるための指示部を備えた位置出し部材とからなることを特徴とする。
このような特徴を有する型枠ベースの設置用治具においては、水糸張り部材へ係止した位置出し部材を、建物基準線を示す水糸に合わせるよう左右にスライドさせることで、水糸張り部材を左右方向に対して正確な位置に設定することができる。
【０００４】
次に、特許文献２には、「水糸張設治具」という名称で、水糸の位置調節が容易な水糸張設治具に関する発明が開示されている。
特許文献２に開示された発明は、２本以上の支柱と、地面に立設された対向する支柱間に架設する横材と、横材にスライド可能であり且つ所望位置に固定可能な可動子を有し、これらが金属製であり、横材は支柱に昇降自在で且つ所望位置に固定可能に取り付けられ、可動子に水糸を係止可能な係止子を設けたことを特徴とする。
このような特徴を有する水糸張設治具においては、可動子は横材に沿ってスライド可能で且つ所望位置に固定可能であり、横方向の位置出し精度が高く、正確な位置に水糸を張ることができる。
【０００５】
次に、特許文献３には、「水糸張り具」という名称で、釘を用いることなく、再使用可能な水糸張り具に関する考案が開示されている。
特許文献３に開示された考案は、杭に着脱可能に取り付けられ、水糸の一端部が取り付けられる複数の糸掛け部が形成された取付具を備え、杭にはネジ穴が形成された支持具が高さ位置を変更可能に取り付けられ、この支持具に取付具が取付角度を変更可能に取り付けられることを特徴とする。
このような特徴を有する水糸張り具においては、取付具には、その長手方向に沿って複数の丸穴または長穴が形成されているので、そのいずれの穴にボルトを通すかにより支持具に対する取付具の取付位置を変更することができる。その際、長穴の場合には、長穴に沿ってボルトを移動させることで支持具に対する取付具の位置を任意に調整することができる。
【０００６】
次に、特許文献４には、「外壁の通り出し装置」という名称で、外壁の通りを正確に出すことのできる外壁の通り出し装置に関する考案が開示されている。
特許文献４に開示された考案は、柱梁接合金具の外面に設けられたねじ孔と、このねじ孔にねじ込み装着されたねじ体と、ねじ体にねじ結合され水糸係止爪を支持するナットとからなることを特徴とする。
このような特徴を有する外壁の通り出し装置においては、水糸は隣接する１対の水糸係止具の水糸係止爪の間に張られ、さらに、ナットの回動運動がねじ体に沿った直線運動に変換されるので、ナットの直線運動の調整を精度良く行うことができる。したがって、水糸の位置を容易に調整可能であり、外壁の通りを正確に出すことができる。
【先行技術文献】
【特許文献】
【０００７】
【特許文献１】特開平７−２５２９３７号公報
【特許文献２】特開２０００−５５６６２号公報
【特許文献３】登録実用新案第３１５４３２９号公報
【特許文献４】実願平３−８２８９９号（実開平５−６０１９号）のＣＤ−ＲＯＭ
【発明の概要】
【発明が解決しようとする課題】
【０００８】
しかしながら、特許文献１に開示された発明においては、水糸張り部材は、作業員の手によって左右方向の位置が調節された後に、ナットを締め付けてその位置が固定されるため、調節に手間がかかるとともに、左右方向の位置調節における微調整が困難である。また、治具本体が取り付けられた据付台が、地面に設置されているため、作業員がこれらにつまづく等によってナットが緩み、水糸の位置がずれるおそれがある。
【０００９】
次に、特許文献２に開示された発明においては、作業員の手によって可動子が横材に沿ってスライドするため、可動子の位置の微調整が困難であり、精度良く水糸の位置を調整することができないおそれがある。
【００１０】
さらに、特許文献３に開示された考案においては、地面に打ち込まれる杭に取付具が支持具を介して取り付けられるため、特許文献１に開示された発明と同様に、作業員が取付具等に接触して水糸の位置がずれるおそれがある。さらに、取付具は、ボルトを中心として回動可能であるとともに、長穴に沿って移動可能である。すなわち、二種類の操作が必要となることから、調整作業が煩雑となる可能性がある。
【００１１】
そして、特許文献４に開示された考案においては、ネジ体の一方の端部がネジ孔に固定される構成であるため、ネジ体が傾斜してネジ孔にねじ込まれるおそれがあり、作業の当初より精度良く水糸を張設できない可能性がある。また、水糸係止爪に水糸を係止させた状態が長期間維持されることによって、ネジ体が屈曲するおそれもあることから、当初の位置へ水糸を安定的に保持困難な可能性がある。
【００１２】
本発明は、このような従来の事情に対処してなされたものであり、張設された水糸の位置を簡易な操作で精度良く微調整可能であり、しかも、作業員等が接触しない位置に設置可能であり、かつ張設された水糸の位置を長期間に亘って安定的に保持可能な丁張調整器具を提供することを目的とする。
【課題を解決するための手段】
【００１３】
上記目的を達成するため、第１の発明は、構造物の基礎材を据え付ける際の丁張り作業において、水糸の位置調整を行うための丁張調整器具であって、基礎材を据え付けるための掘削穴に土留擁壁として設置されるライナープレートに固定される支柱へ取り付けられ、長手方向に沿ってスリットが設けられる筒状体と、この筒状体の両端部に跨って設けられ、筒状体の内部に収容されるネジ部材と、このネジ部材と筒状体の少なくともいずれか一方に取り付けられる留め部材と、筒状体の内部において、ネジ部材に取り付けられる環状部材と、この環状部材に立設され、水糸が結着される棒状部材と、を備え、ネジ部材は、軸体に第１のネジ部が形成されるとともに、基端及び先端のうち少なくとも一方が両端部のうちそれぞれ対応する端部に対し、留め部材を介して回動可能に固定され、環状部材は、その内周面に第１のネジ部に螺合する第２のネジ部が形成され、棒状部材は、その下端が環状部材の外周面に固定されるとともに、その上端が筒状体の外部へ突出し、スリットを通過して配設されることを特徴とする。
【００１４】
このような構成の発明において、支柱は、例えば、鉛直方向に沿って設置される一対の鋼管であって、鉄塔の掘削穴の土留擁壁として円筒形状に組み立てられたライナープレートの上縁に、ボルト等によって固定されたものである。
また、筒状体は、このような鋼管と鋼管の間に、地上から所望の高さにおいて、取り付けられる。さらに、「筒状体の両端部に跨って設けられ、筒状体の内部に収容されるネジ部材」としては、例えば、筒状体の両端部の中心部をネジ部材が貫通することでネジ部材が支持される構成が考えられる。
そして、「ネジ部材と筒状体の少なくともいずれか一方に取り付けられる留め部材」とは、留め部材が支持されている位置を記述したものであり、留め部材がネジ部材に取り付けられている場合、留め部材が筒状体に取り付けられている場合、留め部材がネジ部材と筒状体の双方に取り付けられている場合、の３通りの場合を意味する。
さらに、「ネジ部材は、基端及び先端のうち少なくとも一方が、両端部のうちそれぞれ対応する端部に対し、留め部材を介して回動可能に固定され、」には、例えば、ネジ部材の基端が筒状体の一方の端部に対し、留め部材を介して回動可能に固定されている場合、又は、ネジ部材の先端が筒状体の他方の端部に対し、留め部材を介して回動可能に固定されている場合、あるいは、ネジ部材の基端及び先端が筒状体の両端部に対し、それぞれ留め部材を介して回動可能に固定されている場合、の３通りの場合が含まれる。
【００１５】
上記構成の発明においては、棒状部材は、環状部材に固定されるとともにスリットを通過して配設されるため、棒状部材はスリットに係止された状態となっている。そのため、ネジ部材が回動しても環状部材は回動することができない。一方、環状部材は内周面にネジ部材の第１のネジ部に螺合する第２のネジ部が形成されることから、環状部材は回動できない代わりにネジ部材に沿ってスライド移動する。
また、環状部材の外周面には、水糸が結着される棒状部材の下端が固定されているので、ネジ部材の回動に伴い、棒状部材と水糸がスリットに沿ってスライド移動することとなる。
さらに、留め部材が両端部又はネジ部材に取り付けられることで、ネジ部材の回動が許容されるとともに、ネジ部材の筒状体の長手方向に沿った移動が抑制される。
【００１６】
次に、第２の発明は、第１の発明において、留め部材は、筒状体の内部において、基端又は先端に螺着され、ネジ部材をスリットに沿って移動させるように付勢する弾性体であることを特徴とする。
このような構成の発明において、弾性体としては、例えば、ネジ部材の基端側において、筒状体の一方の端部と第１のネジ部の一端の間に螺着される押しバネであって、ネジ部材の先端を、スリットに沿って筒状体の他方の端部に移動させるように付勢するものが考えられる。なお、この場合、弾性体の付勢の強さは、ネジ部材が回動困難な程度に、ネジ部材の先端を筒状体の他方の端部へ押し付けるものでないことが必要である。
上記構成の発明においては、第１の発明の作用に加え、弾性体によって、ネジ部材の回動が許容されるとともに、ネジ部材の回動時におけるガタつきが抑制される。さらに、ネジ部材の静止時においても、筒状体に対してネジ部材の位置が変化しないため、水糸の位置が保持される。
【００１７】
さらに、第３の発明は、第１又は第２の発明において、ネジ部材は、筒状体の外部において、基端に摘み部が設けられることを特徴とする。
このような構成の発明において、摘み部としては、例えば、基端に溶接等で固着されたナットや、基端に設けられる凹部等が考えられる。
上記構成の発明においては、第１又は第２の発明の作用に加えて、摘み部を把持してネジ部材を回動させるため、指がネジ部材から滑ることが防止される。
【００１８】
そして、第４の発明は、第１乃至第３のいずれかの発明において、筒状体は、長手方向の水平に対する傾斜を検出する水準器が設けられることを特徴とする。
このような構成の発明においては、第１乃至第３のいずれかの発明の作用に加えて、筒状体の長手方向が水平となるように、筒状体が支柱に取り付けられる。
【発明の効果】
【００１９】
第１の発明によれば、ネジ部材の回動に伴い、環状部材がネジ部材に沿ってスライド移動するため、棒状部材と水糸もスリットに沿ってスライド移動することから、効率良く丁張り作業を完了させることができる。
このとき、ネジ部材の回動運動を棒状部材のスライド運動へ変換することができるので、張設された水糸の位置を精度良く微調整可能である。
さらに、筒状体が地上付近に設置されない場合には、作業員等による棒状部材や水糸への接触を防止することができる。加えて、重機の通過によって発生する振動を強く受けないため、この振動による棒状部材のずれを防止することも可能である。したがって、張設された水糸の位置を長期間に亘って安定的に保持可能である。
【００２０】
第２の発明によれば、第１の発明の効果に加えて、環状部材がネジ部材に沿って滑らかにスライド移動することが可能となる。
【００２１】
第３の発明によれば、第１又は第２の発明の効果に加えて、摘み部により、指がネジ部材から滑ることが防止されることから、ネジ部材をわずかに回動させる際の操作を正確に行うことができる。
【００２２】
第４の発明によれば、第１乃至第３のいずれかの発明の効果に加えて、筒状体の長手方向が水平となるように、例えば支柱に対する筒状体の配置を予め決定できることから、筒状体を支柱へ手早く取り付けることが可能である。
【図面の簡単な説明】
【００２３】
【図１】（ａ）は実施例に係る丁張調整器具を上方から視た場合の外観図であり、（ｂ）は（ａ）におけるＡ方向矢視図である。
【図２】（ａ）及び（ｂ）は、それぞれ図１（ａ）及び図１（ｂ）において筒状体の一部を省略した図である。
【図３】実施例に係る丁張調整器具の斜視図である。
【図４】実施例に係る丁張調整器具の使用状態を示す外観図である。
【発明を実施するための形態】
【実施例】
【００２４】
本発明の実施の形態に係る実施例の丁張調整器具について、図１乃至図４を用いて詳細に説明する。図１（ａ）は実施例に係る丁張調整器具を上方から視た場合の外観図であり、図１（ｂ）は図１（ａ）におけるＡ方向矢視図である。
図１（ａ）及び図１（ｂ）に示すように、本実施例に係る丁張調整器具１は、構造物の基礎材５０（図４参照）を据え付ける際の丁張り作業において、水糸Ｌ（図３及び図４参照）の位置調整を行うための丁張調整器具である。
丁張調整器具１は、基礎材５０を挟んで互いに対向して設置される支柱５１，５１（図４参照）へ取り付けられ、長手方向Ｘに沿ってスリット３が設けられる筒状体２と、この筒状体２の両端部２ａ，２ｂに跨って設けられ、筒状体２の内部２ｃに収容されるネジ部材４と、ネジ部材４に取り付けられる留め部材７，８（図２参照）と、筒状体２の内部２ｃにおいて、ネジ部材４に取り付けられる環状部材５（図２参照）と、この環状部材５に立設され、水糸Ｌが結着される棒状部材６と、を備える。このうち、筒状体２においては、両端部２ａ，２ｂはそれぞれネジ部材４が貫通する平板である。さらに、端部２ａと端部２ｂの間には、長手方向Ｘの水平に対する傾斜を検出する水準器１０が設けられる。
【００２５】
次に、筒状体の内部について、図２を用いながらより詳細に説明する。図２（ａ）及び図２（ｂ）は、それぞれ図１（ａ）及び図１（ｂ）において筒状体の一部を省略した図である。なお、図１で示した構成要素については、図２においても同一の符号を付して、その説明を省略する。また、水準器１０の図示も省略する。
図２（ａ）及び図２（ｂ）に示すように、ネジ部材４は、軸体４ｃに第１のネジ部Ｓ１が形成されるとともに、基端４ａ及び先端４ｂが両端部２ａ，２ｂに対し、それぞれ留め部材７及び留め部材８を介して回動可能に固定される。
また、ネジ部材４は、筒状体２の外部において、基端４ａに摘み部９が設けられる。摘み部９は、基端４ａに溶接されるナットであって、基端４ａの半径方向へ突出する２枚の羽根９ａが備えられる。
なお、ネジ部材４の基端４ａ及び先端４ｂとは、それぞれ筒状体２の両端部２ａ，２ｂを挟んで一定の長さを占める範囲をいう。すなわち、基端４ａ及び先端４ｂとは、それぞれネジ部材４の両切断端面４ｄ，４ｅのみを指しているのではなく、両切断端面４ｄ，４ｅを含んだ軸体４ｃの一部分を指す概念である。
【００２６】
次に、留め部材７は、筒状体２の内部２ｃにおいて、細径の基端４ａに螺着され、ネジ部材４をスリット３に沿って端部２ｂの方向（Ｘ１）へ移動させるように付勢するコイルバネである。また、留め部材８は、筒状体２の内部２ｃにおいて、先端４ｂに固定され、端面８ａが筒状体２の端部２ｂに当接するナットである。すなわち、留め部材７，８は、ネジ部材４とともに回動可能である。
また、環状部材５は、その内周面５ａに第１のネジ部Ｓ１に螺合する第２のネジ部Ｓ２が形成される。
そして、図２（ｂ）に示すように、棒状部材６は、その下端６ａが環状部材５の外周面５ｂに例えば溶接によって強固に固定されるとともに、その上端６ｂが筒状体２の外部へ突出し、スリット３を通過して配設される。より詳細には、棒状部材６は、外周面５ｂの法線方向に沿って配設される。
【００２７】
続いて、本実施例に係る丁張調整器具の作用について、図３を用いて詳細に説明する。図３は、実施例に係る丁張調整器具の斜視図である。なお、図１及び図２で示した構成要素については、図３においても同一の符号を付して、その説明を省略する。また、水準器１０の図示も省略する。
図３に示すように、摘み部９の羽根９ａを把持してネジ部材４を回動させると、環状部材５がネジ部材４に取り付けられた位置に留まって、ネジ部材４とともに回動しようとする。しかし、棒状部材６の下端６ａが環状部材５の外周面５ｂに固定されており、さらに、棒状部材６はスリット３を通過して配設されるため、棒状部材６はスリット３に係止された状態となっている。そのため、ネジ部材４が回動しても環状部材５はこれとともに回動することができない。一方、環状部材５は内周面５ａに第２のネジ部Ｓ２が形成されることから、環状部材５はネジ部材４とともに回動できない代わりに、ネジ部材４に沿ってスライド移動することとなる。より詳細には、ネジ部材４をα方向またはβ方向に回動させると、環状部材５がＸ２方向またはＸ１方向へスライド移動する。
また、環状部材５の外周面５ｂには、水糸Ｌが結着される棒状部材６が固定されているので、ネジ部材４の回動に伴い、棒状部材６と水糸Ｌがスリット３に沿ってスライド移動することとなる。
【００２８】
さらに、丁張調整器具１においては、留め部材７によって、ネジ部材４の先端４ｂが筒状体２の端部２ｂの方向Ｘ１に移動するように付勢されるため、留め部材８の端面８ａが筒状体２の端部２ｂに強く当接される。したがって、ネジ部材４の長手方向Ｘに沿った位置が変化することがなく、水糸Ｌの位置が保持される。さらに、ネジ部材４の回動時におけるガタつきも抑制される。
【００２９】
そして、本実施例に係る丁張調整器具の使用状態について、図４を用いながら詳細に説明する。図４は、実施例に係る丁張調整器具の使用状態を示す外観図である。なお、図１乃至図３で示した構成要素については、図４においても同一の符号を付して、その説明を省略する。また、ネジ部材４、水準器１０等の図示も省略する。
図４に示すように、支柱５１は、例えば、鉛直方向に沿って設置される鋼管であって、基礎材５０を据え付けるための掘削穴５２の土留擁壁として円筒形状に組み立てられたライナープレート５３の上縁５３ａに、ボルト５４によって固定されたものである。なお、上縁５３ａは、地上Ｇから一定の高さに設置されている。
筒状体２は、支柱５１と支柱５１の間に、地上Ｇから所望の高さにおいて、取付部５５を介して取り付けられる。このとき、筒状体２には水準器１０（図１参照）が設けられるため、長手方向Ｘが水平となるように、支柱５１に対する筒状体２の配置が予め決定される。なお、より正確な棒状部材６の位置は、トランシット等を使用して後に決定される。また、具体的には、筒状体２の地上Ｇからの高さは、例えば１（ｍ）程度であり、取付部５５としては、例えばクロスクランプ等が使用される。
このように設置された一対の丁張調整器具１によって張設された水糸Ｌの高さに、上端５０ａを一致させることで、基礎材５０が設計通りに掘削穴５２へ据え付けられる。
【００３０】
以上説明したように、本実施例の丁張調整器具１によれば、ネジ部材４の回動に伴い、棒状部材６（ポイント釘に相当する部材）と水糸Ｌがスリット３に沿ってスライド移動するため、水糸Ｌの位置を容易に調整することができる。そのため、従来行われていたようなポイント釘の抜き差し等の煩雑な手順を繰り返す必要がなく、効率良く丁張り作業を完了させることができる。
このとき、ネジ部材４の回動運動を棒状部材６のスライド運動へ変換することができるため、特許文献１乃至３に開示された発明又は考案のように水糸を直接手でスライド運動させる場合と比較して、張設された水糸の位置を精度良く微調整可能である。また、この微調整は、ネジ部材を回動させるという極めて簡易な一種類の操作で行うことが可能であるので、作業者の熟練度等に依存せず、複数回に亘る水糸Ｌの位置の調整を均一の高い精度で行うことができる。
【００３１】
さらに、ネジ部材４は、留め部材７，８によって、ネジ部材４の長手方向Ｘに沿った位置が変化することがないので、水糸Ｌの位置の調整時における再現性が良好である。また、留め部材７，８によって、ネジ部材４の回動時におけるガタつきが抑制されるため、環状部材５がネジ部材４に沿って滑らかにスライド移動することが可能となり、水糸Ｌがスライド移動する際の誤差を無視し得る程度に小さくすることができる。
加えて、ネジ部材４は、摘み部９により、回動の際に指がネジ部材４から滑ることが防止されることから、ネジ部材４をわずかに回動させる際の操作を正確に行うことができる。したがって、水糸Ｌの位置の微調整を確実に行うことができる。
【００３２】
また、棒状部材６は、下端６ａが環状部材５の外周面５ｂに強固に固定されるとともに、スリット３に係止されることから、丁張り作業の当初から完了の間、棒状部材６の屈曲を抑制することが可能である。したがって、棒状部材６が外周面５ｂに対しほぼ直交して配設される状態を安定的に保持することが可能である。
さらに、筒状体２は、支柱５１及びライナープレート５３を介し、地上Ｇ付近から離れた位置に取り付けられるので、作業員等による棒状部材６や水糸Ｌへの接触を防止することができるとともに、重機の通過によって発生する振動の影響を大きく軽減することが可能である。したがって、張設された水糸Ｌの位置を、長期間に亘って安定的に保持可能である。また、筒状体２は水準器１０が設けられるため、支柱５１へより正確かつ手早く取り付けることができる。
【００３３】
なお、本発明の丁張調整器具１の構造は実施例に示すものに限定されない。例えば、摘み部９と留め部材７によって筒状体２の端部２ａが強く挟み込まれる場合には、長手方向Ｘに沿ったネジ部材４の移動が抑制されるため、留め部材８は設けられなくても良い。
また、留め部材７は、筒状体２の内部２ｃにおいて、ネジ部材４の先端４ｂに螺着され、ネジ部材４をスリット３に沿って端部２ａの方向（Ｘ２）へ移動させるように付勢する弾性体であっても良い。この場合、留め部材８は、筒状体２の外部において、ネジ部材４の先端４ｂに固着されるナットであり、端面８ａと反対側の端面が端部２ｂに当接することで、長手方向Ｘに沿ったネジ部材４の移動を抑制することができる。
さらに、留め部材７が筒状体２の内部２ｃにおいてネジ部材４の基端４ａに螺着され、かつ筒状体２の内部２ｃに留め部材８が設置される場合であって、留め部材８の端面８ａが端部２ｂへ固着され留め部材８がネジ部材４と供回りをせず、かつネジ部材４の先端４ｂが留め部材８に係止される場合には、先端４ｂが端部２ｂを貫通しなくても良いし、貫通していても良い。
また、筒状体２の端部２ａ，２ｂが開放端であっても良く、この開放端がネジ部材４を貫通可能な板状の留め部材によってそれぞれ閉鎖され、この板状の留め部材にネジ部材４の基端４ａと先端４ｂがそれぞれ係止されることで、長手方向Ｘに沿ったネジ部材４の移動を抑制可能な構造であっても良い。さらに、摘み部９として、凹部が基端４ａに設けられても良い。
【産業上の利用可能性】
【００３４】
本発明は、構造物の基礎材を据え付ける際の丁張り作業において、水糸の位置調整を行うための丁張調整器具として利用可能である。
【符号の説明】
【００３５】
１…丁張調整器具  ２…筒状体  ２ａ，２ｂ…端部  ２ｃ…内部  ３…スリット  ４…ネジ部材  ４ａ…基端  ４ｂ…先端  ４ｃ…軸体  ４ｄ，４ｅ…切断端面  ５…環状部材  ５ａ…内周面  ５ｂ…外周面  ６…棒状部材  ６ａ…下端  ６ｂ…上端  ７，８…留め部材  ８ａ…端面  ９…摘み部  ９ａ…羽根  １０…水準器  ５０…基礎材  ５０ａ…上端  ５１…支柱  ５２…掘削穴  ５３…ライナープレート  ５３ａ…上縁  ５４…ボルト  ５５…取付部  Ｌ…水糸  Ｓ１…第１のネジ部  Ｓ２…第２のネジ部
【図１】
0006471612.tif 000002
【図２】
0006471612.tif 000003
【図３】
0006471612.tif 000004
【図４】
0006471612.tif 000005